(57)【要約】【課題】入力軸と出力軸が連結されていないときに生じる異常音を低減できるクラッチを提供すること。【解決手段】クラッチ本体６６を入力ギア６４の回転と反対方向に付勢しておき、カムシャフト５２の回転が停止したときにカラー７３を入力ギア６４の回転と反対方向に回転させて、コイルスプリング７６を拡径する板バネ７７を具備する。【選択図】      図１４
2006017938.tif 000002
【特許請求の範囲】
【請求項１】
軸心線を中心に所定角度範囲内で回転可能に支持されるクラッチ本体と、
上記軸心線を中心に一定方向に回転駆動される入力軸と、
上記軸心線を中心に回転可能に設けられる出力軸と、
上記軸心線を中心に回転可能に設けられる回転体と、
上記入力軸の回転方向と反対の巻方向を有し、一端部が上記出力軸に固定され、他端部が上記回転体に固定されるコイルスプリングと、
上記入力軸に一体的に設けられ、上記コイルスプリング内に挿入されて、上記コイルスプリングの内面で締め付けられることで、上記入力軸の回転を上記出力軸および回転体に伝達する伝達部と、
上記出力軸と回転体が回転しているときに、上記回転体の回転を停止させ、上記コイルスプリングの内径を拡大する第１の拡径手段と、
上記クラッチ本体を上記入力軸の回転と反対方向に付勢しておくことで、上記出力軸の回転が停止したときに、上記回転体を上記付勢方向に回転させ、上記コイルスプリングの内径をさらに拡大する第２の拡径手段と、
を具備することを特徴とするクラッチ。
【請求項２】
上記第２の拡径手段は板バネであることを特徴とする請求項１記載のクラッチ。
【請求項３】
請求項１記載のクラッチを有することを特徴とする画像形成装置。
【発明の詳細な説明】
【技術分野】
【０００１】
本発明は、入力軸の回転を出力軸に伝達するクラッチ及びこれを搭載した画像形成装置に関する。
【背景技術】
【０００２】
画像形成装置には、感光体ドラム上に各色のトナー像を形成するごとに、このトナー像を中間転写ベルトに重ね転写し、この重ね転写が終了した後、中間転写ベルト上の重ね転写像を転写ローラにより一括して用紙に転写するものがある（例えば、特許文献１参照。）。
【０００３】
ところで、この画像形成装置では、各色のトナー像の重ね転写を終える前に転写ローラを中間転写ベルトに接触させると、転写ローラにより中間転写ベルト上のトナー像が擦り取られてしまう。そのため、重ね転写中は、転写ローラを中間転写ベルトから離間させておき、トナー像の重ね転写が終了するのを待って、転写ローラを中間転写ベルトに当接している。
【０００４】
上記転写ローラは、回動フレームの回動端側に取付けられ、この回動フレームがスプリングにより付勢されることで、中間転写ベルトから離間されている。そして、カムの回転により回動フレームがスプリングの付勢に抗して回転することで、転写ローラが中間転写ベルトに押圧される。
【０００５】
カムに回転力を伝達する方法として、入力軸の回転をスプリングクラッチを介してカムが設けられる出力軸に伝達する方法が知られている。このスプリングクラッチは、コイル状のスプリングの巻き込みを利用して入力軸と出力軸を連結し、入力軸の回転力を出力軸に伝達するものである。
【特許文献１】特開平８−１９０２８８号公報
【発明の開示】
【発明が解決しようとする課題】
【０００６】
しかしながら、従来のスプリングクラッチでは、入力軸と出力軸とを連結していないとき、何らかの理由によりスプリングの捩じり量が不十分となり、入力軸と出力軸がスプリングにより僅かに連結された状態、すなわち半クラッチ状態となることがあった。この場合に、スプリングと入力軸との間の摩擦により、ビビリ振動が発生し、異常音の原因となることがあった。
【０００７】
本発明は、上記事情を鑑みてなされたものであって、その目的とするところは、入力軸と出力軸が連結されていないときに生じる異常音を低減できるクラッチ及びこれを搭載した画像形成装置を提供することにある。
【課題を解決するための手段】
【０００８】
上記課題を解決し目的を達成するために、本発明のクラッチ及びこれを搭載した画像形成装置は次のように構成されている。
【０００９】
（１）軸心線を中心に所定角度範囲内で回転可能に支持されるクラッチ本体と、上記軸心線を中心に一定方向に回転駆動される入力軸と、上記軸心線を中心に回転可能に設けられる出力軸と、上記軸心線を中心に回転可能に設けられる回転体と、上記入力軸の回転方向と反対の巻方向を有し、一端部が上記出力軸に固定され、他端部が上記回転体に固定されるコイルスプリングと、上記入力軸に一体的に設けられ、上記コイルスプリング内に挿入されて、上記コイルスプリングの内面で締め付けられることで、上記入力軸の回転を上記出力軸および回転体に伝達する伝達部と、上記出力軸と回転体が回転しているときに、上記回転体の回転を停止させ、上記コイルスプリングの内径を拡大する第１の拡径手段と、上記クラッチ本体を上記入力軸の回転と反対方向に付勢しておくことで、上記出力軸の回転が停止したときに、上記回転体を上記付勢方向に回転させ、上記コイルスプリングの内径をさらに拡大する第２の拡径手段とを具備することを特徴とする。
【００１０】
（２）（１）に記載されたクラッチにおいて、上記第２の拡径手段は板バネであることを特徴とする。
【００１１】
（３）（１）に記載されたクラッチを有することを特徴とする画像形成装置。
【発明の効果】
【００１２】
本発明によれば、入力軸と出力軸が連結されていないときに生じる異常音を低減することができる。
【発明を実施するための最良の形態】
【００１３】
以下、図面を参照しながら本発明を実施するための最良の形態を説明する。
【００１４】
まず、図１〜図３を参照しながら電子写真複写機の全体構成について簡単に説明する。
【００１５】
図１は本発明の一実施の形態に係る電子写真複写機の外観を示す斜視図、図２は同実施の形態に係る両面印字ユニット２５が開放された状態を示す斜視図、図３は同実施の形態に係る電子複写機の内部構成を示す概略図である。
【００１６】
図１に示すように、この電子写真複写機は複写機本体１を備えており、その上面には原稿を原稿台へ搬送するための原稿搬送ユニット２２が設けられている。複写機本体１前面の上部にはタッチパネル式の操作パネル２３が設けられている。また、複写機本体１の下部には複数段の給紙カセット２４が配設され、一側面には用紙の両面に印字を行うときに使用される両面印字ユニット２５が設けられている。
【００１７】
図２に示すように、両面印字ユニット２５が開放されると、開閉カバー２６が現れ、その内面側には２次転写ユニット３６（図２には図示しない）が設けられている。この２次転写ユニット３６については、後で詳しく説明する。
【００１８】
図３に示すように、複写機本体１内には感光体ドラム２が回転自在に設けられている。
【００１９】
感光体ドラム２の周囲には、その回転方向に沿って、感光体ドラム２の表面を所定の電位に帯電させる帯電器５、静電潜像を現像するモノクロ用の現像装置８Ｂ、カラー用の回転式現像装置８Ａ、現像剤像を一時的に転写させる中間転写ベルト３、感光体ドラム２上の残留トナーを除去するクリーナ６が配設されている。
【００２０】
カラー用の回転式現像装置８Ａは、イエロートナーを供給する第１の現像部８ａ、シアントナーを供給する第２の現像部８ｂ、マゼンタトナーを供給する第３の現像部８ｃを有している。
【００２１】
中間転写ベルト３は、第１〜第４のローラ３ａ〜３ｄ間に所定の張力で掛け渡され、これら第１〜第４のローラ３ａ〜３ｄと共に転写ベルトユニット３５を構成している。中間転写ベルト３の外周面は、１次転写ローラ１２により感光体ドラム２に押し付けられている。中間転写ベルト３の第１のローラ３ａに巻き付けられる部分には、中間転写ベルト３をクリーニングするためのクリーナ１５ａが接触している。
【００２２】
現像装置８Ａ、８Ｂの下方には、感光体ドラム２上に静電潜像を形成するための露光装置４が設けられている。露光装置４の下方には、上記給紙カセット２４が設けられている。給紙カセット２４には、用紙を取り出すピックアップローラ７が設けられている。ピックアップローラ７により取り出された用紙は、給紙ローラ１５と分離ローラ１６により１枚ずつに分離され、搬送系１９内の搬送経路に沿って搬送されるようになっている。
【００２３】
搬送系１９中には、用紙の搬送方向に沿って順次、搬送ローラ対９、レジストローラ対１７、２次転写ローラ１１が配設されている。レジストローラ対１７は、搬送されてくる用紙を一旦停止させて、搬送方向に対する用紙の傾きを修正するとともに、用紙の先端と中間転写ベルト３上のトナー像の先端とを一致させるものである。
【００２４】
２次転写ローラ１１の用紙搬送方向下流側には、用紙に転写されたトナー像を定着させるための定着器１３が配設されている。定着器１３は加熱ローラ１３ａと加圧ローラ１３ｂとにより構成されている。
【００２５】
定着器１３の用紙搬送方向下流側には、用紙を排出させるための排出ローラ対３０が設けられている。排出ローラ対３０の搬出側には排出される用紙を受ける排出トレイ３１が設けられている。
【００２６】
次に、電子写真複写機の印字動作について簡単に説明する。
【００２７】
まず、原稿搬送ユニット２２に原稿をセットし、操作パネル２３のコピーボタンをＯＮする。これにより原稿が原稿台の所定位置にセットされるとともに、読取装置（図示しない）により用紙上の図柄が光学的に読取られる。
【００２８】
このとき、感光体ドラム２の表面は帯電器５により一様に帯電される。そして、帯電された感光体ドラム２上には、露光装置４により読取情報に応じた情報光が照射され、これにより感光体ドラム２上に静電潜像が形成される。
【００２９】
この静電潜像は、感光体ドラム２の回転により現像装置８Ｂまたは現像装置８Ａに送られ、現像装置８Ａ、８Ｂから供給される各色のトナーによって現像される。現像されたトナー像は、感光体ドラム２の回転により中間転写ベルト３上に送られ、１次転写ローラ１２により１次転写される。
【００３０】
このとき、中間転写ベルト３と２次転写ローラ１１の間には、給紙カセット２４から用紙が送り込まれており、中間転写ベルト３上のトナー像はこの用紙に２次転写される。用紙にトナー像が転写されると、この用紙は中間転写ベルト３から剥離されて定着器１３に送られ、この定着器１３でトナー像が加熱、加圧により定着される。用紙にトナー像が定着すると、この用紙は排出ローラ対３０を介して外部に排出され、排出トレイ３１上に載置される。
【００３１】
なお、中間転写ベルト３にトナー像が転写されると、感光体ドラム２は、除電器（図示しない）で光除電される。また、感光体ドラム２上に残ったトナーはクリーナ６でクリーニングされる。
【００３２】
次に、図４〜図１２を参照しながら２次転写ユニット３６及びその周辺部について詳しく説明する。
【００３３】
図４は同実施の形態に係る転写ベルトユニット３５と２次転写ユニット３６を示す斜視図である。
【００３４】
図４に示すように、上記開閉カバー２６は、その下部側両端部が支軸（図示しない）を介して複写機本体１に回動自在に支持され、その内面側には２次転写ユニット３６が設けられている。２次転写ユニット３６と転写ベルトユニット３５との間に用紙が詰まった場合には、開閉カバー２６を開放することにより、用紙を除去できるようになっている。
【００３５】
図５（Ａ）と図５（Ｂ）は同実施の形態に係る２次転写ユニット３６を互いに異なる角度から示す斜視図、図６は同実施の形態に係る２次転写ユニット３６を示す正面図である。
【００３６】
図５（Ａ）（Ｂ）と図６に示すように、開閉カバー２６内面の両側には、それぞれ支持ブラケット３８が設けられ、これら支持ブラケット３８には２次転写ユニット３６が支軸３９を介して回動可能に取付けられている。
【００３７】
図７（Ａ）と図７（Ｂ）は同実施の形態に係る２次転写ユニット３６を異なる角度から示す斜視図である。
【００３８】
図７（Ａ）に示すように、２次転写ユニット３６には、２次転写ローラ１１が回転可能に設けられている。２次転写ローラ１１は、その両端部に軸受口４１を備え、これら軸受口４１に上記支軸３９が挿入されることで、支持ブラケット３８に回転自在に支持される。
【００３９】
図７（Ｂ）に示すように、２次転写ユニット３６の上面には、その長手方向に沿ってＬ字型の板金４２が設けられている。板金４２の両端部には、Ｌ字型の板バネ４５が設けられている。この板バネ４５は、固定ネジ４６により板金４２に固定されている。また、板金４２の両端部の、板バネ４５と反対側の位置には、圧縮スプリング４４が設けられている。
【００４０】
図８は同実施の形態に係る開閉カバー２６を示す斜視図である。
【００４１】
図８に示すように、開閉カバー２６の下部両側には、上記支軸（図示しない）を嵌合させる軸受部２６ａが設けられている。開閉カバー２６内面の上下部には、用紙の搬送をガイドするための上下のガイド用リブ４９ａ、４９ｂが形成されている。開閉カバー２６内面の上下方向中央部の両側には支持ブラケット３８が設けられ、この支持ブラケット３８に支軸３９を介して上記２次転写ユニット３６が回動可能に支持されている。また、開閉カバー２６の上部には、カムシャフト５２が略水平に設けられており、その中途部には複数、本実施の形態では２つのカム５３が設けられている。
【００４２】
開閉カバー２６の内面側の一側には動力伝達ギア列５７が設けられ、２次転写ローラ１１は上記動力伝達ギア列５７を介して、複写機本体１側の駆動機構に接続される。また、動力伝達ギア列５７には、シャフト６１、駆動ベルト６２、駆動ギア６３、電磁クラッチ５８を介してカムシャフト５２が接続されている。このカムシャフト５２は、１８０度回転するごとに、電磁クラッチ５８の動作により回転が断続されるようになっている。なお、電磁クラッチ５８については、本発明の重要なポイントであるため、後に詳細に説明する。
【００４３】
図９は同実施の形態に係る板金４２と圧縮バネ４７とカム５３の配置構成を示す概略図である。
【００４４】
図９に示すように、カム５３は、板金４２の起立部４２ａの一面側に、板バネ４５を介して対向されている。圧縮バネ４７は、板金４２の起立部４２ａの他面側と、開閉カバー２６内に一体的に設けられる受部材５５との間に介在され、板金４２の起立部４２ａを弾性的に押圧するようになっている。
【００４５】
図１０は同実施の形態に係る中間転写ベルト３に２次転写ローラ１１が圧接された状態において、中間転写ベルト３が掛け渡されるローラ３ｃと２次転写ローラ１１と２次転写ユニット３６の回動支点３６ａの配置構成を示す概略図である。
【００４６】
図１０に示すように、ローラ３ｃの中心Ｓ１と２次転写ローラ１１の中心Ｓ２とを結ぶ直線Ｌ１に対して垂直で、かつ２次転写ローラ１１の中心Ｓ２を通る直線Ｌ２上に位置するように２次転写ユニット３６の回動支点３６ａが設けられている。
【００４７】
ところで、カラー画像形成時においては、感光体ドラム２上に時間差を持って形成したイエロートナー像、シアントナー像、マゼンタトナー像が中間転写ベルト３上に順に重ね転写されるが、この重ね転写が終了するまで、２次転写ローラ１１は図１１に示すように、中間転写ベルト３から離間させ、重ね転写の終了後に、図１２に示すように中間転写ベルト３に接触させる必要がある。
【００４８】
２次転写ローラ１１を中間転写ベルト３に接触させる場合には、電磁クラッチ５８を連結状態とし、図１１に示す状態から、動力伝達ギア列５７、シャフト６１、駆動ベルト６２、駆動ギア６３、カムシャフト５２を介して、カム５３に反時計方向の回転力を付与する。これにより、図１２に示すように、カム５３が１８０度回転されて、板バネ４５を介して板金４２の起立部４２ａを圧縮バネ４７の付勢力に抗して押圧する。
【００４９】
この押圧により２次転写ユニット３６が矢印Ｂ方向に回転され、２次転写ローラ１１を中間転写ベルト３に接触させる。このように圧接される２次転写ローラ１１と中間転写ベルト３との間に用紙が搬送されて中間転写ベルト３上のカラートナー像が用紙に転写されることとなる。
【００５０】
この転写後には、２次転写ローラ１１を再度中間転写ベルト３から離間させる。この場合には、電磁クラッチ５８を遮断状態とし、図１２に示す状態から、動力伝達ギア列５７、シャフト６１、駆動ベルト６２、駆動ギア６３、カムシャフト５２を介して、カム５３に反時計方向の回転力を付与する。
【００５１】
これにより、カム５３がさらに１８０度回転されて板金４２の押圧を解除する方向に回転される。この回動により、図１１に示すように、２次転写ユニット３６は圧縮バネ４７の付勢力により回動支点３６ａを中心として矢印Ａ方向に回動し、中間転写ベルト３と２次転写ローラ１１との間に隙間ａが形成されることになる。
【００５２】
次に、図１３〜図１６を参照しながら本発明の重要なポイントである電磁クラッチ５８について説明する。
【００５３】
図１３は同実施の形態に係る電磁クラッチ５８が開閉カバー２６に取付けられた状態を示す斜視図、図１４は同実施の形態に係る電磁クラッチ５８を入力ギア６４側から示す正面図、図１５は同実施の形態に係る電磁クラッチ５８の連結状態を示す断面図、図１６は同実施の形態に係る電磁クラッチ５８の遮断状態を示す断面図である。
【００５４】
図１３〜図１６に示すように、開閉カバー２６の内面には、支持機構６５（図１４にのみ図示）を介して、電磁クラッチ５８がカムシャフト５２の軸心線を中心に所定角度範囲内で回転できるよう多少のガタを持って支持されている。
【００５５】
また、電磁クラッチ５８下面の幅方向一側には板バネ７７が設けられている。この板バネ７７は、電磁クラッチ５８を入力ギア６４の回転と反対方向（矢印Ｃ方向）に付勢している。なお、板バネ７７により電磁クラッチ５８に付与される付勢力は、０．４〜０．８Ｎ程度に設定されている。
【００５６】
次に、電磁クラッチ５８の構成を説明する。
【００５７】
電磁クラッチ５８はクラッチ本体６６を有している。このクラッチ本体６６は、互いに平行な上下壁６６ａ、６６ｂと、上下壁６６ａ、６６ｂを連結する垂直な側壁６６ｃとにより断面コ字型に形成されており、その内側には円筒型のコイル６７が略水平に配設されている。
【００５８】
このコイル６７は、その一端面をクラッチ本体６６の側壁６６ｃの内面に対向させており、コイル６７の他端面と対向する位置には金属製の揺動板６８が配設されている。この揺動板６８は、クラッチ本体６６の下壁６６ｂにより回転可能に支持されており、クラッチ本体６６の下壁６６ｂよりも下側に配設されたバネ６９により、揺動板６８の上端部をクラッチ本体６６から離間させるように付勢されている。
【００５９】
揺動板６８の上端中央部の、クラッチ本体６６の反対側には、ストッパー７０が設けられている。このストッパー７０は、カラー７３（後述する）の回転を止めるためのものであり、互いに平行な第１、第２の側壁７０ａ、７０ｂと、第１、第２の側壁７０ａ、７０ｂを連結する略水平な上壁７０ｃとにより断面コ字型に形成されている。
【００６０】
コイル６７の内部には、円筒型の出力ハブ７１が回転可能に挿入され、さらに出力ハブ７１の内部には上記カムシャフト５２の一端部が嵌着されている。出力ハブ７１とカムシャフト５２は、揺動板６８の略中央部を貫いてコイル６７の反対側まで延びており、その先端部には入力ギア６４（入力軸）が回転可能に外嵌されている。
【００６１】
この入力ギア６４は、駆動ギア６３により一定方向（矢印Ｄ方向）に回転されるものであり、その揺動板６８側の側面の径方向中心部には円筒型の入力ハブ７２（伝達部）が設けられている。入力ハブ７２の周囲には、所定の隙間を空けて略円筒型のカラー７３（回転体）が回転可能に設けられている。このカラー７３は、クラッチ本体６６側の端部にフランジ部７４を備え、その両側面にはそれぞれ第１、第２の突起部７５ａ、７５ｂが設けられている。
【００６２】
これら第１、第２の突起部７５ａ、７５ｂは、フランジ部７４の周方向に対して１８０度ずれた位置に配置されており、カラー７３が１８０度回転するごとに、第１の突起部７５ａまたは第２の突起部７５ｂがストッパー７０の位置に到達するようになっている。
【００６３】
カラー７３と入力ハブ７２との間には、入力ギア６４の回転方向（矢印Ｄ方向）と反対の巻方向を有するコイルスプリング７６が配設されている。このコイルスプリング７６は、自然状態での内径が入力ハブ７２よりも小さく、通常は入力ハブ７２の外周面に所定の締め付け力で巻き付いている。
【００６４】
なお、コイルスプリング７６を構成する金属線の断面は矩形状をしており、入力ハブ７２に巻き付いた状態でコイルスプリング７６の内面と入力ハブ７２の外周面とが広い面積で接触するようになっている。
【００６５】
また、このコイルスプリング７６は、一端部がカラー７３の入力ギア６４側の部位に固定され、他端部は出力ハブ７１の所定部位に固定されている。これにより、カラー７３をカムシャフト５２（実施には出力ハブ７１）に対して、入力ギア６４の回転と反対方向（矢印Ｃ方向）に回転すると、コイルスプリング７６が捩じれ、その内径が拡大するようになっている。
【００６６】
次に、上記構成の電磁クラッチ５８の作用について説明する。
【００６７】
入力ハブ７２がコイルスプリング７６により締め付けられているときは、入力ハブ７２の外周面とコイルスプリング７６の内周面の間に作用する摩擦力により、入力ギア６４の回転がコイルスプリング７６を介してカムシャフト５２とカラー７３に伝達される。
【００６８】
このとき、コイル６７で揺動板６８を吸着すると、図１６に示すように、揺動板６８の上端に設けられたストッパー７０の第２の側壁７０ｂがフランジ部７４の入力ギア６４側の側面に接近する。
【００６９】
これにより、フランジ部７４の入力ギア６４側の側面に設けられた第２の突起部７５ｂは、ストッパー７０の第２の側壁７０ｂと衝突して、カラー７３の回転が停止することになる。
【００７０】
このとき、カム５３の外周面と２次転写ユニット３６の板バネ４５との間には、摩擦力が作用しているため、カムシャフト５２は回転し難い状態となっている。
【００７１】
このため、カラー７３の回転が停止すると、カラー７３とカムシャフト５２とが相対回転し、これらを連結しているコイルスプリング７６に捩じれが生じることで、コイルスプリング７６の内径が拡大することになる。
【００７２】
その結果、入力ハブ７２の外周面とコイルスプリング７６の内周面の間に作用する摩擦力が低下し、入力ギア６４の回転がカムシャフト５２に伝達されない、いわゆる遮断状態となる。なお、遮断状態であっても、入力ハブ７２の外周面とコイルスプリング７６の内周面は、僅かに接触しており、ビビリ振動を引き起こすことがある。
【００７３】
ところで、カムシャフト５２が回転しているときには、出力ハブ７１とクラッチ本体６６との摩擦等により、クラッチ本体６６にカムシャフト５２の回転と同じ方向（矢印Ｄ方向）に対して僅かに回転力が生じている。
【００７４】
このため、クラッチ本体６６は、カムシャフト５２の回転方向（矢印Ｄ方向）、すなわち入力ギア６４の回転方向に対して僅かに傾くことになる。しかしながら、電磁クラッチ５８が遮断状態となると、カムシャフト５２の回転が停止するため、クラッチ本体６６には入力ギア６４の回転方向に対する回転力が作用しなくなる。
【００７５】
その結果、クラッチ本体６６は、板バネ７７の付勢によって入力ギア６４の回転と反対方向（矢印Ｃ方向）に僅かに回転することになる。このとき、カムシャフト５２は、上記２次転写ユニット３６の板バネ４５との間に作用する摩擦力により殆んど回転しないから、クラッチ本体６６はカムシャフト５２に対して入力ギア６４の回転と反対方向（矢印Ｃ方向）に回転することになる。
【００７６】
このとき、カラー７３の第１の突起部７５ａと揺動板６８に設けられたストッパー７０の第１の側壁７０ａとは係合しているから、クラッチ本体６６が入力ギア６４の回転と反対方向に回転すると、それに伴ってカラー７３が入力ギア６４の回転と反対方向（矢印Ｃ方向）に回転する。
【００７７】
その結果、カムシャフト５２とカラー７３の間に相対回転が生じ、これらを連結しているコイルスプリング７６に捩じれが発生することで、コイルスプリング７６の内径が拡大する。
【００７８】
すなわち、板バネ７７でクラッチ本体６６を入力ギア６４の回転と反対方向（矢印Ｃ方向）に付勢しておくと、電磁クラッチ５８が遮断状態となったときに、コイルスプリング７６の内径がさらに拡大することになる。
【００７９】
これにより、電磁クラッチ５８が遮断状態となったときに、入力ハブ７２の外周面とコイルスプリング７６の外周面の間に作用する摩擦力をさらに低減させることができるから、この摩擦力により生じるビビリ振動が低減し、異常音などの発生が抑制されることになる。
【００８０】
上記構成の電子写真複写機によれば、板バネ７７により電磁クラッチ５８を入力ギア６４の回転と反対方向（矢印Ｃ方向）に付勢している。そのため、電磁クラッチ５８が遮断状態となると、カムシャフト５２の回転が停止することで、板バネ７７による付勢力が支配的になるから、電磁クラッチ５８は入力ギア６４の回転と反対方向（矢印Ｃ方向）に回転することになる。
【００８１】
そして、これに伴ってカラー７３が同方向（矢印Ｃ方向）に回転することで、カムシャフト５２とカラー７３を連結しているコイルスプリング７６の内径が大きくなり、入力ハブ７２の外面とコイルスプリング７６の内面との間に作用する摩擦力がさらに低減することになる。
【００８２】
その結果、入力ハブ７２の外面とコイルスプリング７６の内面との間に作用する摩擦力に起因するビビリ振動が低減し、電子写真複写機の稼動中に発生する異常音等の発生を抑制することができる。
【００８３】
なお、本実施の形態では、２次転写ローラ１１を中間転写ベルト３に対して接離するときの切り替えについて述べているが、これに限定されるものではなく、本発明の電磁クラッチ５８は、例えばクリーナ１５ａを中間転写ベルト３に対して接離するときの切り替えにも適用することもできるし、またモノクロ用の現像装置８Ｂを感光体ドラム２に対して接離するときの切り替えにも適用することもできる。
【００８４】
本発明は、上記実施の形態そのままに限定されるものではなく、実施の段階ではその要旨を逸脱しない範囲で構成要素を変形して具体化できる。また、上記実施の形態に開示されている複数の構成要素の適宜な組み合せにより種々の発明を形成できる。例えば、実施の形態に示される全構成要素から幾つかの構成要素を削除してもよい。
【図面の簡単な説明】
【００８５】
【図１】本発明の一実施の形態に係る電子写真複写機の外観を示す斜視図。
【図２】同実施の形態に係る両面印字ユニットが開放された状態を示す斜視図。
【図３】同実施の形態に係る電子複写機の内部構成を示す概略図。
【図４】同実施の形態に係る転写ベルトユニットと２次転写ユニットを示す斜視図。
【図５Ａ】同実施の形態に係る２次転写ユニットを示す斜視図
【図５Ｂ】同実施の形態に係る２次転写ユニットを異なる角度から示す斜視図。
【図６】同実施の形態に係る２次転写ユニットを示す正面図。
【図７Ａ】同実施の形態に係る２次転写ユニットを示す斜視図。
【図７Ｂ】同実施の形態に係る２次転写ユニットを異なる角度から示す斜視図。
【図８】同実施の形態に係る開閉カバーを示す斜視図。
【図９】同実施の形態に係る板金と圧縮バネとカムの配置構成を示す概略図。
【図１０】同実施の形態に係る中間転写ベルトに２次転写ローラ１１が圧接された状態において、中間転写ベルトが掛け渡されるローラと２次転写ローラと２次転写ユニットの回動支点の配置構成を示す概略図。
【図１１】同実施の形態に係る２次転写ユニットの転写ローラが中間転写ベルトから離間した状態を示す概略図。
【図１２】同実施の形態に係る２次転写ユニットの転写ローラが中間転写ベルトに当接した状態を示す概略図である。
【図１３】同実施の形態に係る電磁クラッチが開閉カバーに取付けられた状態を示す斜視図。
【図１４】同実施の形態に係る電磁クラッチを入力ギア側から示す正面図。
【図１５】同実施の形態に係る電磁クラッチの連結状態を示す断面図。
【図１６】同実施の形態に係る電磁クラッチの遮断状態を示す断面図。
【符号の説明】
【００８６】
５２…カムシャフト（出力軸）、６４…入力ギア（入力軸）、６６…クラッチ本体、７２…入力ハブ（伝達部）、７３…カラー（回転体）、７６…コイルスプリング、７７…板バネ（第２の拡径手段）。
【図１】
2006017938.tif 000003
【図２】
2006017938.tif 000004
【図３】
2006017938.tif 000005
【図４】
2006017938.tif 000006
【図５Ａ】
2006017938.tif 000007
【図５Ｂ】
2006017938.tif 000008
【図６】
2006017938.tif 000009
【図７Ａ】
2006017938.tif 000010
【図７Ｂ】
2006017938.tif 000011
【図８】
2006017938.tif 000012
【図９】
2006017938.tif 000013
【図１０】
2006017938.tif 000014
【図１１】
2006017938.tif 000015
【図１２】
2006017938.tif 000016
【図１３】
2006017938.tif 000017
【図１４】
2006017938.tif 000018
【図１５】
2006017938.tif 000019
【図１６】
2006017938.tif 000020